(57)【特許請求の範囲】
【請求項１】
鉛直軸心周りで回転自在に取り付けられる扉を自閉するための扉閉塞装置であって、
前記扉又は扉を取り付ける開口部の周囲を形成する枠に取り付けられる扉閉塞装置本体と、前記枠又は扉に取り付けられるワイヤー折返し部材とから形成され、
前記扉閉塞装置本体内には扉を閉じる方向に付勢されて扉を自閉する渦巻きばねを収納するとともに、この渦巻きばねには渦巻きばねの一端側と連結されて回転する環状の回転体を外嵌合し、この回転体にはワイヤーの一端側と連結してワイヤーを巻回し、
前記ワイヤーの他端側を前記渦巻きばねの付勢力に抗して回転体から引き出すとともに扉閉塞装置本体に形成した第１引出し孔を介して扉閉塞装置本体外に引き出し、これを前記ワイヤー折返し部材に巻き掛けして扉閉塞装置本体側に折り返すとともに前記第１引出し孔の近傍に形成した引込み孔を介して扉閉塞装置本体内に引き込み、
前記扉閉塞装置本体内に引き込まれたワイヤーの他端側を扉閉塞装置本体に形成した第２引出し孔を介して扉閉塞装置本体外に引き出し、前記扉閉塞装置本体外に引き出されたワイヤーに第２引出し孔よりも大径の膨らみ部を形成し、
前記ワイヤーの一端側から所定長さの位置にボール状緩衝部材を設け、前記回転体に巻回されたワイヤーが回転体から最大長さ引き出されたときに前記ボール状緩衝部材を回転体と第１引出し孔との間に形成したワイヤー誘導孔に当接させるようにした
ことを特徴とする扉閉塞装置。
【請求項２】
前記ワイヤー折返し部材のワイヤー巻き掛け部を鼓状の回転ローラから形成し、この回転ローラをブラケットに設けた軸に回転自在に支持してなることを特徴とする請求項１記載の扉閉塞装置。
【請求項３】
前記扉閉塞装置本体内には引込み孔と第２引出し孔との間にワイヤーストッパーを設け、
このワイヤーストッパーは、一端側に一端側ほど小径になったテーパー孔が形成され他端側にはばねが装着された筒状のワイヤーストッパー本体と、ワイヤーを挿通するワイヤー挿通孔が形成された開閉自在な支持部材とこの支持部材に支持されてその外周面側とワイヤー挿通孔側とに突出する複数個のボール状挟持部材とから形成されるとともに、前記ワイヤーストッパー本体内には前記支持部材がその一端側を前記ばねに当接させるととも他端側を前記ワイヤーストッパー本体の一端側から突出させるように設けられ、前記複数個のボール状挟持部材がワイヤーストッパー本体の一端側に移動したときにテーパー孔の小径側テーパー面に当接してワイヤーを挟持し、前記支持部材の他端側をワイヤーストッパー本体の他端側に押し込むことにより複数個のボール状挟持部材がワイヤーストッパー本体の他端側に移動したときにボール状挟持部材によるワイヤーの挟持が解除されるように構成されてなり、
前記引込み孔より扉閉塞装置本体内に引き込まれたワイヤーを支持部材の他端側より引き込み、第２引出し孔により外部に導くように構成し、
前記ワイヤーストッパーの近傍には前記支持部材の他端側に当接して他端側をワイヤーストッパー本体の他端側に押し込んで前記ボール状挟持部材によるワイヤーの挟持を解除する操作レバーを扉閉塞装置本体の外側に突出するように設けた
ことを特徴とする請求項１又は２記載の扉閉塞装置。
【請求項４】
前記回転体の外周部に係止溝を形成するとともに、前記係止溝に係脱するフック部材を扉閉塞装置本体に設け、前記フック部材を前記係止溝に係止することにより回転体をロックするように構成したことを特徴とする請求項１〜３のいずれかに記載の扉閉塞装置。
【発明の詳細な説明】
【０００１】
【発明の属する技術分野】
本発明は扉閉塞装置に関するものである。
【０００２】
【従来の技術】
従来、扉閉塞装置としては、例えば扉に取り付けられる扉閉塞装置本体がアルミニウム・ダイカストなどから形成され、その内部に扉を自閉させるためのばね、扉の自閉速度を制御するための作動油などが収納されるとともに扉の回転に伴なって回転する回転軸を備え、この扉閉塞装置本体を２連式のアームを介して上枠と連結するようにしたものが知られている。
【０００３】
【発明が解決しようとする課題】
しかし、この扉閉塞装置は、扉閉塞装置本体がアルミニウム・ダイカストなどから形成されているうえに、扉閉塞装置本体内に扉の自閉速度を制御する作動油の流路などを形成する必要があるため、構造が複雑になってコストが高くなり、しかも扉の開き角度を所望の角度にするためには扉閉塞装置本体を扉に取付ける位置とアームを上枠に取り付ける位置とに高い精度が要求されるため、扉、上枠への取付け作業に熟練を要するものであった。
【０００４】
そこで、本発明は前記問題点を解決するものであって、扉と枠に取り付ける位置が変わっても扉の開き角度を任意に調節することができ、しかも構造が簡単であって安価なコストで得ることができる扉閉塞装置を提供することを課題とする。
【０００５】
【課題を解決するための手段】
前記問題点を解決するために、本発明の扉閉塞装置は、鉛直軸心周りで回転自在に取り付けられる扉を自閉するための扉閉塞装置であって、前記扉又は扉を取り付ける開口部の周囲を形成する枠に取り付けられる扉閉塞装置本体と、前記枠又は扉に取り付けられるワイヤー折返し部材とから形成され、前記扉閉塞装置本体内には扉を閉じる方向に付勢されて扉を自閉する渦巻きばねを収納するとともに、この渦巻きばねには渦巻きばねの一端側と連結されて回転する環状の回転体を外嵌合し、この回転体にはワイヤーの一端側と連結してワイヤーを巻回し、前記ワイヤーの他端側を前記渦巻きばねの付勢力に抗して回転体から引き出すとともに扉閉塞装置本体に形成した第１引出し孔を介して扉閉塞装置本体外に引き出し、これを前記ワイヤー折返し部材に巻き掛けして扉閉塞装置本体側に折り返すとともに前記第１引出し孔の近傍に形成した引込み孔を介して扉閉塞装置本体内に引き込み、前記扉閉塞装置本体内に引き込まれたワイヤーの他端側を扉閉塞装置本体に形成した第２引出し孔を介して扉閉塞装置本体外に引き出し、前記扉閉塞装置本体外に引き出されたワイヤーに第２引出し孔よりも大径の膨らみ部を形成し、前記ワイヤーの一端側から所定長さの位置にボール状緩衝部材を設け、前記回転体に巻回されたワイヤーが回転体から最大長さ引き出されたときに前記ボール状緩衝部材を回転体と第１引出し孔との間に形成したワイヤー誘導孔に当接させるようにしたことを特徴とする。
【０００６】
前記構成によれば、扉を自閉する渦巻きばねに連結された回転体にワイヤーが巻回された扉閉塞装置本体とワイヤーを折り返すためのワイヤー折返し部材とから形成し、扉と枠とをワイヤーを介して連結するようにしたので、扉又は枠に取り付ける扉閉塞装置本体とワイヤー折返し部材の取り付け位置が変わっても扉の開き角度を任意に調整することができ、しかも構造が簡単であって安価なコストで得ることができる。又、ボール状緩衝部材により回転体に巻回されたワイヤーが回転体から最大長さ引き出されたときにボール状緩衝部材により回転体側にかかる衝撃を緩和することができる。
【０００７】
また、請求項２に記載の発明は、前記構成において、前記ワイヤー折返し部材のワイヤー巻き掛け部を鼓状の回転ローラから形成し、この回転ローラをブラケットに設けた軸に回転自在に支持してなることを特徴とする。
【０００８】
前記構成によれば、ワイヤー折返し部材のワイヤー巻き掛け部を鼓状の回転ローラから形成したことにより、ワイヤーが渦巻きばねの付勢力により回転体側に巻き戻されて扉が自閉するときにワイヤー巻き掛け部に対するワイヤーの抵抗が少なくなって扉を円滑に自閉させることができる。
【０００９】
また、請求項３に記載の発明は、前記構成において、前記扉閉塞装置本体内には引込み孔と第２引出し孔との間にワイヤーストッパーを設け、このワイヤーストッパーは、一端側に一端側ほど小径になったテーパー孔が形成され他端側にはばねが装着された筒状のワイヤーストッパー本体と、ワイヤーを挿通するワイヤー挿通孔が形成された開閉自在な支持部材とこの支持部材に支持されてその外周面側とワイヤー挿通孔側とに突出する複数個のボール状挟持部材とから形成されるとともに、前記ワイヤーストッパー本体内には前記支持部材がその一端側を前記ばねに当接させるととも他端側を前記ワイヤーストッパー本体の一端側から突出させるように設けられ、前記複数個のボール状挟持部材がワイヤーストッパー本体の一端側に移動したときにテーパー孔の小径側テーパー面に当接してワイヤーを挟持し、前記支持部材の他端側をワイヤーストッパー本体の他端側に押し込むことにより複数個のボール状挟持部材がワイヤーストッパー本体の他端側に移動したときにボール状挟持部材によるワイヤーの挟持が解除されるように構成されてなり、前記引込み孔より扉閉塞装置本体内に引き込まれたワイヤーを支持部材の他端側より引き込み、第２引出し孔により外部に導くように構成し、前記ワイヤーストッパーの近傍には前記支持部材の他端側に当接して他端側をワイヤーストッパー本体の他端側に押し込んで前記ボール状挟持部材によるワイヤーの挟持を解除する操作レバーを扉閉塞装置本体の外側に突出するように設けたことを特徴とする。
【００１０】
前記構成によれば、ワイヤーストッパー本体にテーパー孔を形成するとともにこれに設けられた支持部材に設けたボール状挟持部材にてワイヤーを挟持するようにしたため、ワイヤーを確実に挟持してワイヤーが渦巻きばねの付勢力によって回転体側に引き戻される動きを止めることができ、扉の開き角度を所望の角度に容易に調節することができる。また、ボール状挟持部材によるワイヤーの挟持を解除する操作レバーを扉閉塞装置本体の外側に突出するように設けたことにより、ワイヤーが調節すべき扉の開き角度に見合った長さより長く引き出されたときに、扉閉塞装置本体の外側から操作レバーを操作することによりワイヤーの挟持を解除してワイヤーを回転体側に引き戻して扉の開き角度を微調整することができる。
【００１１】
また、請求項４に記載の発明は、前記構成において、前記回転体の外周部に係止溝を形成するとともに、前記係止溝に係脱するフック部材を扉閉塞装置本体に設け、前記フック部材を前記係止溝に係止することにより回転体をロックするように構成したことを特徴とする。
【００１２】
前記構成によれば、フック部材を係止溝に係止することにより回転体をロックするようにしたため、折返し部材を取り付けるとき又は扉の開き角度を微調整するときなどに、回転体に連結されたワイヤーが渦巻きばねに付勢力によって回転体側に引き戻されることがなく、取付け作業、扉の開き角度の微調整作業などを容易に行うことができる。
【００１５】
【発明の実施の形態】
以下、本発明の実施の形態における扉閉塞装置を添付図面に基づいて説明する。
【００１６】
本発明の実施の形態における扉閉塞装置１は、図１〜図９に示すように、扉に取り付けられる扉閉塞装置本体２と、扉を取り付ける開口部の周囲を形成する上枠に取り付けられるワイヤー折返し部材３とから形成されている。
【００１７】
前記扉閉塞装置本体２内には、扉を閉じる方向に付勢されて扉を自閉する渦巻きばね４が収納されている。この渦巻きばね４は一端側が軸５に連結されている。
【００１８】
前記軸５には環状の回転体６が回転自在に支持されており、前記渦巻きばね４の他端側が回転体６に連結され、回転体６を図２において時計方向に回転させることにより渦巻きばね４の付勢力がこの回転体６に伝達されるように構成されている。
【００１９】
なお、この回転体６の裏面側には縁部７が形成され、表面側には前記縁部７の大きさに見合った大きさの内蓋８がビス９にて取り付けられ、また、扉閉塞装置本体２の表面側には外蓋１０がビス１１にて取り付けられている。
【００２０】
そして、前記回転体６の外周面には扉と上枠とを連結するためのワイヤー１２が巻回され、このワイヤー１２を回転体６から所定長さ引き出すことによって扉の開き角度を調節するようになっている。このワイヤー１２の一端側にはボール状抜け止め部材１３が、前記一端側から所定の長さ位置にはボール状緩衝部材１４が、他端側にはボール状抜け止め部材１５がそれぞれ設けられている。
【００２１】
前記ワイヤー１２の一端側に設けられたボール状抜け止め部材１３は前記回転体６の内周面側に形成した凹部１６に収納されてワイヤー１２の一端側が回転体６に連結され、前記凹部１６に連通して回転体６の外周面側に開口したスリット１７からワイヤー１２が回転体６の外周面に引き出され、それによってワイヤー１２が抜け止めされている。
【００２２】
また、前記ボール状緩衝部材１４は、回転体６に巻回されたワイヤー１２が回転体６から最大長さ引き出されたときに、扉閉塞装置本体２内の隔壁１８に形成されたワイヤー誘導孔１９に当接するようになっており、それによって回転体６側にかかる衝撃を緩和するようになっている。
【００２３】
そして、前記扉閉塞装置本体２の一端側には切欠部２０が形成され、この切欠部２０には回転体６に巻回されたワイヤー１２の他端側を扉閉塞装置本体２外に引き出すための第１引出し孔２１とワイヤー１２を再び扉閉塞装置本体２内に引き込むための引込み孔２２が形成された孔形成部材２３が取外し自在に嵌め込まれ、前記第１引出し孔２１は前記ワイヤー誘導孔１９に連通している。
【００２４】
前記第１引出し孔２１及び引込み孔２２は、ワイヤー１２が出入りするときにワイヤー１２に傷など付かないように、それぞれワイヤー１２の出入り口が曲面状（Ｒ状）に面取りされている。
【００２５】
また、前記ワイヤー折返し部材３は、ワイヤー巻き掛け部が軸方向中心ほど小径になった鼓状の回転ローラ２６から形成されており、この回転ローラ２６は断面コ字状のブラケット２４に設けた鉛直軸２５に回転自在に支持されている。
【００２６】
このようにワイヤー折返し部材３のワイヤー巻き掛け部を鼓状の回転ローラ２６から形成することにより、ワイヤー１２が前記渦巻きばね４の付勢力によって前記回転体６側に巻き戻されて扉が自閉するときに、ワイヤー巻き掛け部に対するワイヤー１２の抵抗が少なくなって円滑に扉を自閉させることができる。
【００２７】
前記回転体６に巻回されたワイヤー１２の他端側は前記渦巻きばね４の付勢力すなわち渦巻きばね４の巻き締め方向に向く張力に抗して回転体６から引き出され、ワイヤー誘導孔１９を介して第１引出し孔２１から扉閉塞装置本体２の外側に引き出され、前記ワイヤー折返し部材３を構成する回転ローラ２６に巻き掛けされて引込み孔２２側に折り返され、引込み孔２２を介して扉閉塞装置本体２内に引き込まれている。
【００２８】
そして、扉閉塞装置本体２内には前記引込み孔２２の下方に、引込み孔２２に引き込まれたワイヤー１２を挟持するためのワイヤーストッパー２７が設けられている。
【００２９】
このワイヤーストッパー２７は、ワイヤーストッパー本体２８とワイヤー１２を挿通するワイヤー挿通孔２９が形成された支持部材３２とを備えている。前記ワイヤーストッパー本体２８は筒状に形成され、一端側に一端側ほど小径になったテーパー孔３０が形成されており、その他端側にはばね受け部材３１ａが設けられ、このばね受け部材３１ａにばね３１が装着されている。また、前記支持部材３２は一端側に長さ方向に切り込んだ切込み（図示せず）が形成され、開閉自在になっている。そして、支持部材３２にはその同一円周上に形成された複数のボール嵌合孔３３に嵌め込まれて支持部材３２の外周面側とワイヤー挿通孔２９側に突出する複数個のボール状挟持部材３４が支持されている。そして、前記ワイヤーストッパー本体２８内には、前記支持部材３２がその一端側を前記ばね３１に当接させるとともにその他端側を前記ワイヤーストッパー本体２８の一端側から突出させるように設けられている。
【００３０】
それにより前記複数個のボール状挟持部材３４がワイヤーストッパー本体２８の一端側に移動したときにテーパー孔３０の小径側テーパー面に当接してワイヤー１２を挟持し、前記支持部材３２の他端側をワイヤーストッパー本体２８の他端側に押し込むことにより複数個のボール状挟持部材３４がワイヤーストッパー本体２８の他端側にすなわちテーパー孔３０の大径側に移動したときに複数個のボール状挟持部材３４によるワイヤー１２の挟持が解除されるように構成されている。
【００３１】
そして、このワイヤーストッパー２７は、ワイヤーストッパー本体２８の他端側に設けたばね受け部材３１ａが扉閉塞装置本体２の下端部に形成されたねじ孔３５に螺合され、ワイヤーストッパー本体２８の一端側が前記引込み孔２２側に位置するように設けられている。
【００３２】
そして、前記引込み孔２２より扉閉塞装置本体２内に引き込まれたワイヤー１２は前記支持部材３２の他端側より引き込まれ、ワイヤーストッパー本体２８の他端側に設けたばね受け部材３１ａに形成された第２引出し孔３６を介して扉閉塞装置本体２より下方に引き出され、ワイヤー１２の他端側に設けた前記第２引出し孔３６より大径のボール状抜け止め部材１５により抜け止め支持されている。そして、前記支持部材３２に引き込まれたワイヤー１２は前記渦巻きばねの付勢力により前記複数個のボール状挟持部材３４がワイヤーストッパー本体２８のテーパー孔３０の小径側に引き寄せられることによって複数個のボール状挟持部材３４により強い挟持力で挟持されている。これによりワイヤー１２が前記回転体６側に引き戻される動きが止められるように構成されている。
【００３３】
扉の開き角度を調節するときは、前記第２引出し孔３６から引き出されたワイヤー１２を下方に引っ張って所定長さ引き出すとともに前記ワイヤーストッパー２７によりワイヤー１２を挟持することにより調節される。
【００３４】
なお、ワイヤー１２の他端側を引き出すときには、ワイヤー１２の他端側を引っ張ることによりボール状挟持部材３４による強い挟持力を受けることなく、ワイヤー１２を下方に引き出すことができる。
【００３５】
さらに、前記ワイヤーストッパー２７の近傍には前記支持部材３２の他端側に当接して他端側をワイヤーストッパー本体２８側に押し込んで前記ボール状挟持部材３４によるワイヤー１２の挟持を解除するための操作レバー３７が設けられている。
【００３６】
この操作レバー３７は板ばねが断面略コ字状に折曲され、一端側の折曲片にワイヤー挿通孔３８が形成されるとともに他端側の折曲片に前記ばね受け部材３１ａに外嵌合するための嵌合孔３９が形成されている。そして、この操作レバー３７は他端側の折曲片がばね受け部材３１ａに外嵌合され、前記一端側の折曲片の一部が前記支持部材３２の他端側に当接するとともに一端側の折曲片が扉閉塞装置本体２に形成された切欠部４０を介して扉閉塞装置本体２の外側に突出するように設けられている。
【００３７】
この操作レバー３７は、ワイヤー１２が所望の扉の開き角度に見合った長さより長く引き出されたときに、ワイヤー１２を回転体６側に引き戻して扉の開き角度を微調整するために用いられる。
【００３８】
さらに、前記回転体６の縁部７の外周には係止溝４１が形成されている。また、扉閉塞装置本体２の他端側には線状材料をコ字状に折曲して形成されたフック部材４２が扉閉塞装置本体２の表面側と裏面側とで回転自在に支持されている。さらに、扉閉塞装置本体２には前記フック部材４２の近傍に前記フック部材４２を回転体６側に導くための切欠溝４３が形成されている。そして、フック部材４２を切欠溝４３を介して回転体６側に回転して係止溝４１に係止し、それによって回転体６がロックされ、回転体６が回転しないようになっている。
【００３９】
これにより扉閉塞装置１を取り付けるとき又は扉の開き角度を微調整するときに、回転体６に連結されたワイヤー１２が前記渦巻きばね４の付勢力によって回転体６側に引き戻されることがなく、取付け作業等を容易に行うことができる。
【００４０】
前記構成の扉閉塞装置１は、図１０〜図１２に示すように、例えば建物に形成されたガスチェンバーの入口に一端側がヒンジ４４により回転自在に支持された扉４５の裏面に扉閉塞装置本体２がビス４６にて取り付けられ、ワイヤー折返し部材３が上枠４７下端にビスなどにより取り付けられ、扉４５と上枠４７とが扉閉塞装置本体２、ワイヤー１２及びワイヤー折返し部材３を介して連結される。
【００４１】
前記扉閉塞装置１を取り付けるに際しては、まず扉閉塞装置本体２を扉４５の裏側に取り付け、次いで前記フック部材４２を係止溝４１に係止して回転体６を一時的にロックする。この状態で、ワイヤー１２を回転体６から必要な長さ引き出し、ワイヤー折返し部材３を上枠４７に取り付ける。ワイヤー折返し部材３を上枠４７に取り付けた後は、前記回転体６のロックを解除する。
【００４２】
次いで、扉４５を所望の開き角度に調節するために、扉４５を一旦所望の開き角度よりも大きな開き角度に開いた状態で、前記ワイヤーストッパー２７に挟持されて扉閉塞装置本体２の下方に引き出されているワイヤー１２の他端側を下方に引っ張ってワイヤー１２を引き出し、適宜の長さ引き出した時点で前記と同様にして回転体６を一時的にロックする。
【００４３】
そして、この状態で前記ワイヤー１２の他端側を下方に引っ張って前記ワイヤーストッパー２７を介して所定長さ引き出し、扉の開き角度を前記所望の開き角度に調節する。すなわち、この状態では前記のように回転体６がロックされているため、ワイヤー１２の他端側を下方に引っ張っても回転体６に巻回されているワイヤー１２は回転体６から最早引き出されないから、ワイヤー１２が引き出された長さに見合った角度だけ扉４５が前記ワイヤー折返し部材３側すなわち上枠４７側に引き寄せられ、扉４５の開き角度が所望の開き角度に調節されることになる。
【００４４】
ところで、前記のようにして調節された扉４５の開き角度を微調整したいときには、扉閉塞装置本体２から一旦引出されたワイヤー１２を扉閉塞装置本体２内に戻すことが必要になることがある。
【００４５】
このようなときには、前記操作レバー３７を下方に押し下げて前記支持部材３２の他端側を前記ワイヤーストッパー本体２８の他端側に押し込んでワイヤー１２の挟持を解除し、微調整すべき扉４５の開き角度に見合った長さだけワイヤー１２を扉閉塞装置本体２内に戻せばよい。
【００４６】
そして、扉４５の開き角度を調節した後、前記回転体６のロックを解除する。
以上のようにして開き角度が調節された扉４５は、それを開くと、それに伴って回転体６に巻回されたワイヤー１２が渦巻きばね４の付勢力に抗して扉閉塞装置本体２から引き出され、前記ワイヤー折返し部材３の回転ローラ２６を折り返し点として折り返され、ワイヤー１２が所定長さ引き出されたときに扉４５が所定角度まで開かれる。
【００４７】
一方、扉４５から手を離すと、扉閉塞装置本体２から引き出されたワイヤー１２が渦巻きばね４の付勢力によって扉４５が上枠４７側に引っ張られ、それによって扉４５が自閉する。
【００４８】
本実施の形態によれば、扉閉塞装置１を扉４５を自閉する渦巻きばね４に連結された回転体６にワイヤー１２が巻回された扉閉塞装置本体２とワイヤー１２を折り返すためのワイヤー折返し部材３とから形成したので、扉４５に取り付ける扉閉塞装置本体２と上枠４７に取り付けるワイヤー折返し部材３の取り付け位置が変わっても、扉４５の開き角度を任意に調節することができる。
【００４９】
また、ワイヤ折返し部材３の巻き掛け部を鼓状の回転ローラ２６から形成したので、扉４５が自閉するときのワイヤー１２の抵抗が少なくなって扉４５を円滑に自閉させることができる。例えば、通常の円筒状の回転ローラと比べると、ワイヤー１２を回転体６側に引き戻す力すなわち自閉力を２倍にすることができる。
【００５０】
また、ワイヤーストッパー本体２８にテーパー孔３０を形成するとともにこれに設けられた支持部材に設けたボール状挟持部材３４にてワイヤー１２を挟持するようにしたので、ワイヤー１２を確実に挟持することができ、ワイヤー１２が渦巻きばね４の付勢力によって回転体６側に引き戻される動きを止めることができ、扉４５の開き角度を所望に角度に容易に調節することができる。また、操作レバー３７を設けたことにより、扉４５の開き角度を容易に微調整することができる。
【００５１】
また、前記ワイヤー１２の一端部と他端部にそれぞれボール状抜け止め部材１３、１５を設けるとともに、前記ワイヤー１２の一端部と他端部との間にボール状緩衝部材１４を設けたので、ワイヤー１２の一端部に設けたボール状抜け止め部材１３によりワイヤー１２を回転体６に確実に連結することができ、ワイヤー１２の他端部に設けたボール状抜け止め部材１５によりワイヤー１２が回転体６側に引き戻されないように抜け止め支持することができる。また、ボール状緩衝部材１４により回転体６に巻回されたワイヤー１２が回転体から最大長さ引き出されたときに回転体６側にかかる衝撃を緩和することができる。
【００５２】
また、フック部材４２を係止溝４３に係止して回転体６をロックするようにしたので、取付け作業、扉４５の開き角度を微調整作業などを容易に行うことができる。
【００５３】
さらに、第１引出し孔２１及び引込み孔２２のワイヤー１２の出入り口をＲ状に面取りしたので、ワイヤー１２が出入りするときにワイヤー１２に傷が付くことがない。
【００５４】
本実施の形態では、扉閉塞装置本体２を扉４５側に取り付け、ワイヤー折返し部材３を上枠４７側に取り付けたが、これとは逆に扉閉塞装置本体２を上枠４７側に取り付け、ワイヤー折返し部材３を扉４５側に取り付けるようにしてもよい。さらに、扉閉塞装置本体２又はワイヤー折返し部材３は竪枠に取り付けることもできる。
【００５５】
また、ワイヤーストッパー２７を設ける位置は扉閉塞装置本体２の外側でもよい。
本発明における扉閉塞装置は、ガスチェンバーの入口の他、各種の点検口、建物の通路、入口など扉とその取付け枠を有するものであれば、そのいずれについても適用することができる。
【００５６】
さらに、扉の開き角度を調節するには、ワイヤーストッパーを設けることなく、回転体に巻回されるワイヤーの一端と他端側に設けるボール状抜け止め部材との間の長さを所望の開き角度に見合った長さに予め設定しておいてもよく、また、第２引出し孔から引き出されたワイヤーに所望の開き角度になるように結び目を形成するようにしてもよい。
【００５７】
【発明の効果】
以上述べたように、本発明の扉閉塞装置によれば、扉又は枠に取り付ける扉閉塞装置本体とワイヤー折返し部材の取り付け位置が変わっても扉の開き角度を任意に調節することができ、しかも構造が簡単であって安価なコストで得ることができる。
【００５８】
また、請求項２に記載の発明によれば、ワイヤーが渦巻きばねの付勢力により回転体側に巻き戻されて扉が自閉するときにワイヤー巻き掛け部に対するワイヤーの抵抗が少なくなって扉を円滑に自閉させることができる。
【００５９】
また、請求項３に記載の発明によれば、ワイヤーを確実に挟持してワイヤーが渦巻きばねの付勢力によって回転体側に引き戻される動きを止めることができ、扉の開き角度を所望の角度に容易に調節することができる。また、ワイヤーが調節すべき扉の開き角度に見合った長さより長く引き出されたときに、扉閉塞装置本体の外側から操作レバーを操作することによりワイヤーの挟持を解除してワイヤーを回転体側に引き戻して扉の開き角度を微調整することができる。
【００６０】
さらに、請求項４に記載の発明によれば、折返し部材を取り付けるとき又は扉の開き角度を微調整するときなどに、回転体に連結されたワイヤーが渦巻きばねに付勢力によって回転体側に引き戻されることがなく、取付け作業、扉の開き角度の微調整作業などを容易に行うことができる。
【００６１】
さらにまた、請求項５に記載の発明によれば、ボール状緩衝部材により回転体に巻回されたワイヤーが回転体から最大長さ引き出されたときにボール状緩衝部材により回転体側にかかる衝撃を緩和することができる。
【図面の簡単な説明】
【図１】  本発明の一実施の形態における扉閉塞装置を示す分解斜視図である。
【図２】  扉が開いた状態における扉閉塞装置本体の平面図である。
【図３】  扉が閉じた状態における扉閉塞装置本体の平面図である。
【図４】  回転体をロックした状態における扉閉塞装置本体の平面図である。
【図５】  ワイヤーの連結状態を示す斜視図である。
【図６】  孔形成部材を示す断面図である。
【図７】  ワイヤーストッパーを示す断面図である。
【図８】  フックを示す斜視図である。
【図９】  ワイヤー折返し部材を示す断面図である。
【図１０】  扉閉塞装置を取り付けた扉が閉じた状態を示す正面図である。
【図１１】  図１０の側面断面図である。
【図１２】  扉閉塞装置を取り付けた扉が開いた状態を示す平面図である。
【符号の説明】
１  扉閉塞装置
２  扉閉塞装置本体
３  ワイヤー折返し部材
４  渦巻きばね
５  軸
６  回転体
７  縁部
８  内蓋
９  ビス
１０  外蓋
１１  ビス
１２  ワイヤー
１３  ボール状抜け止め部材
１４  ボール状緩衝部材
１５  ボール状抜け止め部材
１６  凹部
１７  スリット
１８  隔壁
１９  ワイヤー誘導孔
２０  切欠部
２１  第１引出し孔
２２  引込み孔
２３  孔形成部材
２４  ブラケット
２５  鉛直軸
２６  回転ローラ
２７  ワイヤーストッパー
２８  ワイヤーストッパー本体
２９  ワイヤー挿通孔
３０  テーパー孔
３１  ばね
３１ｂ  ばね受け部材
３２  支持部材
３３  ボール嵌合孔
３４  ボール状挟持部材
３５  ねじ孔
３６  第２引出し孔
３７  操作レバー
３８  ワイヤー挿通孔
３９  嵌合孔
４０  切欠部
４１  係止溝
４２  フック部材
４３  切欠溝
４４  ヒンジ
４５  扉
４６  ビス
４７  上枠
【図１】
0003636703.tif 000002
【図２】
0003636703.tif 000003
【図３】
0003636703.tif 000004
【図４】
0003636703.tif 000005
【図５】
0003636703.tif 000006
【図６】
0003636703.tif 000007
【図７】
0003636703.tif 000008
【図８】
0003636703.tif 000009
【図９】
0003636703.tif 000010
【図１０】
0003636703.tif 000011
【図１１】
0003636703.tif 000012
【図１２】
0003636703.tif 000013